(57)【要約】【課題】デジタル航空交通管制センターのための改良された識別システムを提供する。【解決手段】デジタル航空交通管制センターのための識別システムが、ある視野を伴い、パルス検出アレイを有するセンサと、センサの視野内の航空交通対象を表示するためのユーザインターフェースと、コントローラとを含んでいる。コントローラは、センサの視野内の航空交通対象によって保持されたパルス照明器によって放射されたパルス状の照明を使用して、航空交通対象を識別するために、パルス検出アレイと通信するように配置されたパルス検出モジュールを含んでいる。デジタル航空交通管制センター、飛行場、及び航空交通対象識別方法も記載される。【選択図】図１
2020027657.tif 000002
【特許請求の範囲】
【請求項１】
デジタル航空交通管制センターのための識別システムであって、
パルス検出アレイを有し、視野を有するセンサと、
前記センサの前記視野内の航空交通対象を表示するためのユーザインターフェースと、
前記パルス検出アレイと通信するように配置されたパルス検出モジュールを有するコントローラであって、前記パルス検出モジュールが、前記センサの前記視野内の前記航空交通対象によって保持されたパルス照明器によって放射されるパルス状の照明を使用して、航空交通対象を識別するように構成及び適合されている、前記コントローラと、
を備える、前記識別システム。
【請求項２】
前記センサが、飛行場に配置されたマストまたはジンバルに固定されている、請求項１に記載の識別システム。
【請求項３】
前記センサの前記視野が、飛行場の近位の制御された空域を含んでいる、請求項１に記載の識別システム。
【請求項４】
前記ユーザインターフェースが、前記センサと遠隔で接続されている、請求項１に記載の識別システム。
【請求項５】
前記パルス検出アレイが、可視の波長の周波数帯のパルス検出アレイである、請求項１に記載の識別システム。
【請求項６】
前記パルス検出アレイが、長波赤外（ＬＷＩＲ）の周波数帯のパルス検出アレイである、請求項１に記載の識別システム。
【請求項７】
前記パルス検出アレイが、中波赤外（ＭＷＩＲ）の周波数帯のパルス検出アレイである、請求項１に記載の識別システム。
【請求項８】
前記パルス検出アレイが、短波赤外（ＳＷＩＲ）の周波数帯のパルス検出アレイである、請求項１に記載の識別システム。
【請求項９】
パルス状の照明を放射するために配置された、パルス照明器を保持する航空交通対象をさらに含む、請求項１に記載の識別システム。
【請求項１０】
前記パルス照明器と操作可能に関連付けられ、前記パルス照明器によって放射されたパルス状の照明を、前記航空交通対象の正体により変調するように構成されたパルス照明変調モジュールをさらに含む、請求項９に記載の識別システム。
【請求項１１】
前記パルス照明器が、可視、赤外、ＬＷＩＲ、ＭＷＩＲ、及びＳＷＩＲのいずれかの周波数帯のパルス照明器である、請求項９に記載の識別システム。
【請求項１２】
前記パルス照明器が、前記可視、前記ＬＷＩＲ、前記ＭＷＩＲ、及び前記ＳＷＩＲの周波数帯で、パルス状の照明を放射するように構成されている、請求項９に記載の識別システム。
【請求項１３】
前記センサと通信するように配置され、前記ディスプレイと操作可能に関連付けられている、航空機認識モジュールをさらに備えている、請求項１に記載の識別システム。
【請求項１４】
請求項１に記載の識別システムを含む、デジタル航空交通管制センター。
【請求項１５】
請求項１に記載の識別システムを含むデジタル航空交通管制センターを有する、軍事用または民間用の飛行場。
【請求項１６】
航空交通対象識別方法であって、
航空交通対象によって保持されたパルス照明器からパルス状の照明を放射することと、
前記パルス状の照明を、パルス検出アレイを有するセンサにおいて、前記センサの視野内から、受信することと、
前記パルス状の照明を使用して前記航空交通対象を識別することと、
前記センサと通信するように配置されたユーザインターフェース上に、前記航空交通対象の正体を表示することであって、前記ユーザインターフェースが、前記センサの前記視野から離れている、前記表示することと、
を含む、前記航空交通対象識別方法。
【請求項１７】
前記航空交通対象において、前記航空交通対象の正体により、前記パルス状の照明を変調することをさらに含む、請求項１６に記載の航空交通対象識別方法。
【請求項１８】
パルス状の照明を放射することには、可視、ＬＷＩＲ、ＭＷＩＲ、及び／またはＳＷＩＲの周波数帯の照明を放射することが含まれる、請求項１６に記載の航空交通対象識別方法。
【請求項１９】
前記センサを使用して前記航空交通対象を確認することをさらに含む、請求項１６に記載の航空交通対象識別方法。
【請求項２０】
前記航空交通対象を前記識別することが、デジタル航空交通管制センターで行われる、請求項１６に記載の航空交通対象識別方法。
【発明の詳細な説明】
【技術分野】
【０００１】
本開示は、航空交通管制に関し、より詳細には、デジタル航空交通管制センターのための識別システム、及び、航空交通対象を識別する方法に関する。
【背景技術】
【０００２】
飛行場の管制塔内などの交通管制センターは、一般に、飛行場と、飛行場の近くの空域との両方において、航空機の移動を制御する目的のために、飛行場に配置されている。管制塔を飛行場に配置することにより、管制塔から操作する人間の運航管理員が、飛行場、及びその周りにおける航空機の移動に関する状況を認識することを可能にする。航空交通自体に近いことは、伝統的に、人間の運航管理員が、飛行場、及び飛行場のすぐ近くを移動する航空機を視覚的に見ることができる利点を提供している。
【０００３】
センサの急増により、飛行場の人間の運航管理員によって提供される機能を飛行場から離し、飛行場から離れた位置に移動することが可能になってきている。人間の運航管理員を飛行場から移動することにより、他の用途のために、飛行場の空間がフリーになり、飛行場の作業の効率が向上する。そのような交通管制塔は、通常、飛行場での活動のライブ画像を離れた位置に通信し、人間の運航管理員が、安全な位置から飛行場の作業を制御し、活動を監視することを可能にする、撮像デバイスを含んでいる。これにより、飛行場の設置面積を低減し、人間の航空交通管理員が危険にさらされないようにしている。
【発明の概要】
【発明が解決しようとする課題】
【０００４】
そのような慣習的な方法及びシステムは、概して、その意図される目的には十分であると見なされてきた。しかし、依然として、当該技術には、デジタル航空交通管制センターのための識別システム、飛行場のデジタル航空交通管制センター、及び航空交通対象識別方法を向上させる必要がある。本開示は、この必要性に関する解決策を提供する。
【課題を解決するための手段】
【０００５】
デジタル航空交通管制センターのための識別システムが、パルス検出アレイを有する、ある視野のセンサと、センサの視野内の航空交通対象を表示するためのユーザインターフェースと、コントローラとを含んでいる。コントローラは、センサの視野内の航空交通対象によって保持されたパルス照明器によって放射されたパルス状の照明を使用して、航空交通対象を識別するために、パルス検出アレイと通信するように配置されたパルス検出モジュールを含んでいる。
【０００６】
特定の実施形態では、センサは、マストに固定することができる。センサは、飛行場に配置することができる。センサの視野は、制御された空間を含むことができる。制御された空域は、飛行場の周囲にあるものとすることができる。ユーザインターフェースは、センサと遠隔で接続されていてもよい。識別システムは、軍事用または民間用の飛行場などの、飛行場のデジタル航空交通管制センターで採用することができる。航空交通対象は、固定翼または回転翼の航空機とすることができる。
【０００７】
特定の実施形態によれば、パルス検出アレイは、可視波長の周波数帯のパルス検出アレイとすることができる。パルス検出アレイは、赤外の周波数帯のパルス検出アレイとすることができる。パルス検出アレイは、長波赤外（ＬＷＩＲ）のパルス検出アレイとすることができる。パルス検出アレイは、中波赤外（ＭＷＩＲ）のパルス検出アレイとすることができる。パルス検出アレイは、短波赤外（ＳＷＩＲ）のパルス検出アレイとすることができる。航空機認識モジュールは、パルス検出アレイと通信するように配置し、ディスプレイと操作可能に関連付けることができる。
【０００８】
特定の実施形態によれば、航空交通対象が、パルス状の照明を放射するために配置されたパルス照明器を保持することができることも考えられる。パルス照明変調モジュールは、パルス照明器と操作可能に関連付けることができる。パルス照明変調モジュールは、パルス照明器から放射されたパルス状の照明を変調するように構成することができる。パルス照明器は、可視周波数帯、赤外周波数帯、ＬＷＩＲ、ＭＷＩＲ、及び／またはＳＷＩＲのパルス照明器の１つとすることができる。パルス照明器は、可視、赤外、ＬＷＩＲ、ＭＷＩＲ、及び／またはＳＷＩＲの周波数帯の１つでパルス状の照明を放射するように構成することができる。
【０００９】
航空交通対象検出方法には、航空交通対象によって保持されたパルス照明器からパルス状の照明を放射することが含まれる。放射されたパルス状の照明は、パルス検出アレイを有するセンサにおいて、センサの視野内から受信され、航空交通対象は、パルス状の照明を使用して識別される。航空交通対象の正体は、センサと通信するように配置されたユーザインターフェース上に表示される。ユーザインターフェースは、センサの視野から離れている。
【００１０】
特定の実施形態では、本方法は、航空交通対象において、航空交通対象の正体により、パルス状の照明を変調することを含むことができる。パルス状の照明を放射することには、可視周波数帯、赤外周波数帯、ＬＷＩＲのサブ周波数帯、ＭＷＩＲのサブ周波数帯、及び／またはＳＷＩＲのサブ周波数帯のパルス状の照明の１つを放射することを含むことができる。航空交通対象は、センサを使用して認識することができる。たとえば、センサは、可視、赤外、ＬＷＩＲ、ＭＷＩＲ、及び／またはＳＷＩＲの１つで、航空交通対象から反射（または放射）された照明を使用して、航空交通対象のタイプを認識することができる。
【００１１】
本主題の開示のシステム及び方法のこれら及び他の特徴は、図面と合わせて、好ましい実施形態の以下の詳細な説明から、当業者にはより容易に明らかとなるであろう。
【００１２】
開示の主題が属する技術分野の当業者が、過度な実験を行うことなく、どのように開示の主題のデバイス及び方法を形成及び使用するかを容易に理解するように、開示の主題の実施形態は、特定の図面を参照して、本明細書において以下に詳細に記載される。
【図面の簡単な説明】
【００１３】
【図１】図１は、デジタル航空交通管制センターのための識別システムを含む、本開示に従って建設された、民間用または軍事用の飛行場の例示的実施形態の概略図であり、飛行場に位置し、離れたデジタル航空交通管制センターと通信するように配置されたセンサを示している。
【図２Ａ】図１の識別システムの実施形態の概略図であり、パルス照明器を保持する航空交通対象と、パルス状の照明の例示的な周波数帯、及び、例示的なサブ周波数帯のためにそれぞれ構成された、パルス検出アレイを有するセンサとを示している。
【図２Ｂ】図２Ａと同様の識別システムの実施形態の概略図である。
【図２Ｃ】図２Ａと同様の識別システムの実施形態の概略図である。
【図２Ｄ】図２Ａと同様の識別システムの実施形態の概略図である。
【図２Ｅ】図２Ａと同様の識別システムの実施形態の概略図である。
【図３】図３は、図１の識別システムの概略図であり、識別システムのパルス検出モジュール、航空交通対象認識モジュール、及び航空交通識別モジュールを示している。
【図４】図４は、航空交通対象識別方法を示すブロック図であり、本方法のステップを示している。
【発明を実施するための形態】
【００１４】
ここで、同様の参照符号が開示の主題の同様の構造的特徴または態様を識別する、図面を参照する。説明及び図示の目的のため、限定ではなく、本開示に係る、デジタル航空交通管制センターのための航空交通識別システムの例示的実施形態の部分図が、図１に示されており、全体として、参照符号１００によって示されている。本開示に係る、航空交通識別システム、航空交通識別システムを伴う、デジタル航空交通管制センターを有する民間用及び軍事用の飛行場、ならびに、航空交通対象を識別する方法の他の実施形態、またはその態様が、以下に記載されるように、図２Ａから図４に提供されている。本明細書に記載のシステム及び方法は、民間用及び軍事用の飛行場のための離れているデジタル航空交通管制センターなど、航空交通対象を識別するために使用することができるが、本開示は、概して、離れたデジタル航空交通管制センター、または、航空交通対象の識別に限定されない。
【００１５】
人間の目は、電磁スペクトルの可視の部分内の光に反応する。可視光は、概して、約３８０ナノメートルから約７２０ナノメートルの間の波長を有するものと理解されている。３８０ナノメートル未満の波長の電磁放射は、概して、紫外放射と記載される。７２０ナノメートルを超える波長の電磁放射は、概して、赤外放射と記載される。
【００１６】
電磁スペクトルの赤外部分は、通常、近赤外（ＮＩＲ）の赤外スペクトル部分と、短波赤外（ＳＷＩＲ）の赤外スペクトル部分と、中波赤外（ＭＷＩＲ）の赤外スペクトル部分と、長波（ＬＷＩＲ）赤外スペクトル部分とに分けられる。本明細書で使用される場合、ＮＩＲは、約０．７ミクロンから約１ミクロンの間の波長の電磁放射に関する。ＳＷＩＲは、約０．９ミクロンから約１．７ミクロンの間の波長の電磁放射に関する。ＭＷＩＲは、約３ミクロンから５ミクロンの間の波長の電磁放射に関する。ＬＷＩＲは、約８ミクロンから１４ミクロンの間の波長の電磁放射に関する。
【００１７】
図１を参照すると、飛行場１０が示されている。飛行場１０は、１つまたは複数の滑走路１２と、傾斜路１４と、デジタル航空交通管制センター１６、たとえば、離れたデジタル管制塔とを含んでいる。デジタル航空交通管制センター１６は、飛行場１０の傾斜路１４及び１つまたは複数の滑走路１２上、ならびに、飛行場１０の周囲２の航空交通対象１８の移動を制御するために構成及び適合されている。周囲２は、本明細書で使用される場合、デジタル航空交通管制センター１６の有効な視野内にあるものを意味している。飛行場１０は、パルス検出アレイ１０３を有するセンサ１０２をも含んでいる。パルス検出アレイ１０３は、周囲２、傾斜路１４、及び１つまたは複数の滑走路１２の少なくとも一部にわたる視野１０４を有している。デジタル航空交通管制センター１６が、飛行場１０から離れていることが考えられる。離れていることは、デジタル航空交通管制センター１６にいるオペレータが、リモートセンサ、たとえばセンサ１０２の助けなしでは、飛行場１０を直接見ることができないことを意味している。
【００１８】
傾斜路１４、滑走路１２、及び周囲１２に位置する、１つまたは複数の航空交通対象１８は、パルス照明器１１６を保持している。パルス照明器１１６は、所定の周波数帯で、パルス状の照明を放射するように構成及び適合され、また、それぞれの航空交通対象１８を識別する情報で変調されている。パルス照明器１１６が、比較的長いレンジ、たとえば、可視レンジの外側、及び／または、大気のくもり３４を通して、航空交通対象１８の正体を通信するために、センサ１０２に光学的に結合されていることが考えられる。大気のくもりの例には、非限定的例として、霧、もや、及びスモッグが含まれる。
【００１９】
センサ１０２は、周囲２、傾斜路１４、及び１つまたは複数の滑走路１２の少なくとも一部を含む、景色の画像データ２０を取得するために構成及び適合されている。画像データ２０は、サイズまたは形状に従って航空交通対象１８を認識する、航空交通対象認識モジュール１２０（図３に示す）に提供される。パルス検出アレイ１０３は、航空交通対象１８によって保持されたパルス照明器１１６から放射される、パルスデータ２５を取得するために構成及び適合されている。このパルス検出アレイ１０３は、航空交通対象識別モジュール１２２（図３に示す）にこのパルスデータを提供し、この航空交通対象識別モジュール１２２は、たとえばテールナンバーにより、航空交通管制対象１８を識別するために、このパルスデータを使用する。
【００２０】
特定の実施形態では、空港１０は、陸上の空港とすることができる。陸上の空港の実施例には、一般民間航空、及び、商業用空港設備が含まれる。特定の実施形態によれば、空港１０は、海上の空港とすることができる。海上の空港の実施例には、小型のデッキ及び大型のデッキの軍事用航空母艦、軍事用及び商業用の海上船のヘリコプタ発着所、ならびに、石油掘削プラットフォーム及び探査プラットフォームなどの固定された海上構造物上の着陸設備が含まれる。航空交通対象１８には、所与の用途に適切であるような、固定翼航空機、回転翼航空機、及び／または自動航空機が含まれ得る。
【００２１】
センサ１０２は、空港１０と同じ場所に配置され、飛行場１０及び周囲２の少なくとも一部を包含する視野１０４を有している。たとえば、センサ１０２は、マストまたはジンバル構造１０８に取り付けることができる。ジンバル構造１０８のマストは、固定されたものとすることができるか、パン、ティルト、及び／またはズームの能力をセンサ１０２に提供することができる。本開示の観点から、当業者には理解されるように、マストまたはジンバル構造の使用により、視野１０４のサイズを増大させることができる。これに関し、画像データ２０が、それぞれの航空交通対象のタイプを認識することにより、飛行場１０、及び、飛行場１０の周囲２において、航空交通対象１８の移動を安全に制御するために、代表的、及びタイムリーであるように、１つのセンサ１０２のみによって十分な受信可能範囲を提供することが考えられる。さらに、パルスデータ２５が、個別の航空交通対象１８の識別に従って、飛行場１０、及び、飛行場１０の周囲２において、航空交通対象１８のタイムリーかつ安全な移動を制御するための識別情報を提供するように、１つのパルス検出アレイ１０３のみによって十分な受信可能範囲を提供することも考えられる。
【００２２】
データリンク１０６を示す破線で示すように、デジタル航空交通管制センター１６が、飛行場１０から離れており、航空交通識別システム１００を含んでいることが考えられる。これに関し、デジタル航空交通管制センター１６は、飛行場１０から離れて、たとえば、センサ１０２の視野１０４の外側に、配置することができる。デジタル航空交通管制センター１６を離れた位置に配置することにより、飛行場の作業のために、飛行場１０の空間がフリーになり、飛行場の効率が向上する。デジタル航空交通管制センター１６を離れた位置に配置することにより、識別システム１００及びそのユーザを、安全を必要とする他の資産と同じ場所に置くことなどにより、デジタル航空交通管制センター１６を設置するために必要なリソースを低減することもできる。
【００２３】
図２Ａから図２Ｅを参照すると、センサ１０２、パルス検出アレイ１０３、及びパルス照明器１１６が、例示的実施形態に従って示されている。航空交通対象１８の各々は、パルス照明変調モジュール１１８及びパルス照明器１１６を保持している。パルス照明変調モジュール１１８は、パルス照明器１１６と操作可能に関連付けられており、また、パルス照明器に、所定の周波数帯またはサブ周波数帯でパルス状の照明を放射させるように構成されている。パルス検出アレイ１０３及びセンサ１０２は、航空交通対象から反射された照明を使用した航空交通対象の認識のための画像データ２０と、パルス照明器１１６によって放射されたパルス状の照明を使用した個別の航空交通対象の識別のためのパルスデータ２５との両方を生成するように、構成及び適合されている。
【００２４】
たとえば、図２Ａに示すように、特定の実施形態では、航空交通対象１８は、可視の周波数帯のパルス照明器１１６Ａを保持することができる。可視の周波数帯のパルス照明器１１６Ａは、照明変調モジュール１１８によって提供された変調情報に従って、可視の周波数帯のパルス状の照明２４を放射するように構成されている。可視の周波数帯のパルス検出アレイ１０３Ａは、個別に、及び／または、センサ１０２と協同して、可視の周波数帯のパルス状の照明２４を使用して、航空交通対象１８の認識及び識別のための画像データ２０及びパルスデータ２５を生成する。
【００２５】
図２Ｂに示すように、特定の実施形態によれば、航空交通対象１８は、赤外のパルス照明器１１６Ｂを保持することができる。赤外のパルス照明器１１６Ｂは、照明変調モジュール１１８によって提供された変調情報に従って、赤外周波数帯のパルス状の照明２６を放射するように構成されている。赤外周波数帯のパルス検出アレイ１０３Ｂは、個別に、及び／または、センサ１０２と協同して、赤外の周波数帯のパルス状の照明２６を使用して、航空交通対象１８の認識及び識別のための画像データ２０及びパルスデータ２５を生成する。
【００２６】
図２Ｃに示すように、特定の実施形態によれば、航空交通対象１８は、ＭＷＩＲのサブ周波数帯のパルス照明器１１６Ｃを保持することができる。ＭＷＩＲのパルス照明器１１６Ｃは、照明変調モジュール１１８によって提供された変調情報に従って、ＭＷＩＲのパルス状の照明２８を放射するように構成されている。ＭＷＩＲのパルス検出アレイ１０３Ｃは、個別に、及び／または、センサ１０２と協同して、ＭＷＩＲのパルス状の照明２８を使用して、航空交通対象１８の認識及び識別のための画像データ２０及びパルスデータ２５を生成する。
【００２７】
図２Ｄに示すように、特定の実施形態によれば、航空交通対象１８は、ＬＷＩＲのサブ周波数帯のパルス照明器１１６Ｄを保持することができる。ＬＷＩＲのパルス照明器１１６Ｄは、照明変調モジュール１１８によって提供された変調情報に従って、ＬＷＩＲのパルス状の照明３０を放射するように構成されている。ＬＷＩＲのパルス検出アレイ１０３Ｄは、個別に、及び／または、センサ１０２と協同して、ＬＷＩＲのパルス状の照明３０を使用して、航空交通対象１８の認識及び識別のための画像データ２０及びパルスデータ２５を生成する。
【００２８】
図２Ｅに示すように、航空交通対象１８が、ＳＷＩＲの照明器１１６Ｅを保持できることも考えられる。ＳＷＩＲのパルス照明器１１６Ｅは、照明変調モジュール１１８によって提供された変調情報に従って、ＳＷＩＲのパルス状の照明３２を放射するように構成されている。ＳＷＩＲのサブ周波数帯のパルス検出アレイ１０３Ｅは、個別に、及び／または、センサ１０２と協同して、ＳＷＩＲのパルス状の照明３２を使用して、航空交通対象１８の認識及び識別のための画像データ２０及びパルスデータ２５を生成する。本開示の観点から、当業者には理解されるように、画像データ２０（図１に示す）及びパルスデータ２５を生成するために、赤外の周波数帯の照明を使用することには、大気のくもり３４、たとえば、ほこり、もや、スモッグ、及び煙などを通して撮像する際に、視認性を向上させる利点がある。次いで、視認性の向上により、比較的長いレンジにおいて、航空交通対象１８の認識を可能にし、それにより、センサ１０２の視野１０４の有効深さを延ばす。このことは、ＳＷＩＲのパルス状の照明の場合に特に当てはまり、これにより、同じ場所にある航空交通管制センターの検知レンジを超えて、識別レンジを延ばすことができる。
【００２９】
図３を参照すると、識別システム１００が示されている。識別システム１００は、プロセッサ１０８、データインターフェース１１０、ユーザインターフェース１１２、及びメモリ１１４を含んでいる。プロセッサ１０８は、データインターフェース１１０と通信し、また、データインターフェース１１０を通してセンサ１０２と通信するように配置されており、データリンク１０６を介してセンサ１０２から画像データ２０を受信する。プロセッサ１０８は、飛行場１０（図１に示す）の画像３６を表示するための、ユーザインターフェース１１２の操作可能な接続のために、ユーザインターフェース１１２と通信するようにも配置されている。
【００３０】
メモリ１１４は、命令を有する複数のプログラムモジュールを有している。この命令は、このプログラムモジュール上に記録されており、プロセッサ１０８によって読み込まれた際に、プロセッサ１０８に、特定の操作を実行させる。この操作は、たとえば、以下に記載するように、航空交通対象識別方法２００の操作である。モジュールの中には、飛行場、及びこの飛行場の周囲における、航空交通対象の形状４０を認識するための航空交通対象認識モジュール１２０、ならびに、飛行場、及びこの飛行場の周囲における、航空交通対象の正体３８を判定するための航空交通対象識別モジュール１２２がある。識別システム１００が、意図した用途に適切であるように、回路、ソフトウェア、またはソフトウェアと回路との両方の組合せを使用して実施されることが考えられる。
【００３１】
図４を参照すると、航空交通対象識別方法２００が示されている。航空交通対象識別方法２００は、ボックス２１０で示すように、パルス状の照明、たとえば、パルス状の照明２４から３２（図２Ａから図２Ｅに示す）を放射することを含んでいる。パルス状の照明は、ボックス２１２で示すように、個別の航空交通対象を識別する情報を含むように変調されている。特定の実施形態では、パルス状の照明は、ボックス２１４で示すように、可視波長の周波数帯内とすることができる。特定の実施形態によれば、パルス状の照明は、ボックス２１６で示すように、赤外波長の周波数帯内とすることができる。パルス状の照明は、ボックス２１８からボックス２２２で示すように、ＬＷＩＲ、ＭＷＩＲ、及び／またはＳＷＩＲの周波数帯など、赤外のサブ周波数帯内とすることができることも考えられる。
【００３２】
航空交通対象識別方法２００は、ボックス２３０で示すように、パルス状の照明を、センサ、たとえば、パルス検出アレイ１０３（図１に示す）、及び／または、センサ１０２（図１に示す）で受信することをも含んでいる。パルス状の照明は、ボックス２３２で示すように、復調され、ボックス２４０で示すように、変調された照明に含まれる情報に基づき、航空交通対象が識別される。航空交通対象の正体は、ボックス２５０で示すように、ユーザインターフェース、たとえば、ユーザインターフェース１１２（図３に示す）に表示される。ユーザインターフェースは、図３に例示的画像（またはビデオ）２４で示すように、飛行場、及び／または、飛行場の周囲の、少なくとも一部を表示する間、飛行場から離れて配置することができる。特定の実施形態では、航空機は、ボックス２５０で示すように、センサで受信した照明を使用して、形状認識アルゴリズムまたは類似のユーティリティなどで認識することもでき、ボックス２６０で示すように、パルス照明器を伴わずに、及び／または、操作可能なパルス照明器で、航空交通対象を統合することの柔軟性を提供する。形状の認識は、ボックス２７０に示すように、航空機の正体とともに表示することができる。
【００３３】
商業用及び軍事用の航空交通管制は、従来型の航空交通管制塔から、デジタル航空交通管制センターへと移行している。マスト上に取り付けられたデジタル撮像センサは、ライブ画像を、安全な設備内の航空交通管制員に伝達することにより、デジタル航空交通管制センターが有する視認性を向上させることができる。これにより、空港上の設置面積を低減し、航空交通管理員が危険にさらされないようにしている。
【００３４】
本明細書に記載の実施形態では、パルス検出アレイ及びパルスエミッタが、デジタル航空交通管制センターにおける視認性をさらに向上させるために採用されている。特定の実施形態によれば、デジタル航空交通管制センター内での航空機の識別のために、ＳＷＩＲ、ＭＷＩＲ、及び／またはＬＷＩＲの照明を採用するパルス検出アレイ及びパルスエミッタが採用される。識別は、航空機間、及び、航空機とデジタル航空交通管制センターとの間の、１方向及び２方向の通信を促進するように、対象の認識によって増大し得る。たとえば、航空機に保持されたパルスＬＥＤ赤外エミッタ、及び、パルス検出ピクセル技術のＳＷＩＲ撮像器は、パン、ティルト、及び／またはズームの能力を伴って、マスト上に取り付けることができる。そのような、ＳＷＩＲ撮像器は、もやの深い日には、認識の目的に関し、可視センサよりも優れており、パルス検出能力により、長距離にある、遠くの航空機を検出し、明確に識別する。これにより、少ないフォールスポジティブまたはフォールスネガティブの割合で、航空機の長距離の自動撮像及び識別が可能になることが考えられる。赤外撮像は、大気中のひどいぼやけの要素（ほこり、もや、スモッグ、煙）の環境で採用され、パルス検出アレイがパルス状の照明と対になっている場合、航空機などの対象を長距離で検出及び識別できる利点をも有している。
【００３５】
上述し、図面に示したような、本開示の方法及びシステムは、低いフォールスポジティブまたはフォールスネガティブの割合、及び、ひどい大気のくもりを通しての撮像の能力を含む、優れた特性で、航空機の、長距離で自動的な撮像及び識別を提供する。開示の主題の装置及び方法が、好ましい実施形態を参照して図示及び記載されてきたが、当業者は、変更及び／または変化が、開示の主題の範囲を逸脱することなく、これら装置及び方法に対して行われ得ることを容易に理解するであろう。
【図１】
2020027657.tif 000003
【図２Ａ】
2020027657.tif 000004
【図２Ｂ】
2020027657.tif 000005
【図２Ｃ】
2020027657.tif 000006
【図２Ｄ】
2020027657.tif 000007
【図２Ｅ】
2020027657.tif 000008
【図３】
2020027657.tif 000009
【図４】
2020027657.tif 000010